(57)【特許請求の範囲】
【請求項１】
対象面を覆う意匠材セットであって、
取付体と、
前記取付体に取り付けるカバーとを備えており、
前記取付体及び前記カバーは、基体及び基体を囲む側壁を有しており、
前記カバーの側壁と前記取付体の側壁との嵌合により、前記カバーを前記取付体に取り付け可能であり、
前記取付体のうち前記カバーとの対向部の平面視の形状は、四角形に内接する１倍形状、又は前記四角形を連続して整数個並べて形成される外形の各辺に内接する整数倍形状であり、
前記１倍形状の取付体を１倍取付体とし、前記整数倍形状の取付体を整数倍取付体とすると、
前記カバーは、前記１倍取付体に取り付け可能な大きさの１倍カバー、又は前記整数倍取付体に取り付け可能な大きさの整数倍カバーを含んでおり、かつ少なくとも異なる整数倍の前記整数倍カバーを含んでおり、
前記対象面に複数の前記取付体を縦及び横に連続的に配置したときに、
前記１倍取付体への前記１倍カバーの取り付け、２以上の整数個分の前記１倍取付体への前記整数倍カバーの取り付け、又は前記整数倍取付体への前記整数倍カバーの取り付けにより、複数の前記カバーで構成される意匠パターンを設定でき、
前記カバーを前記取付体から取り外して、新たな前記カバーの取り付け又は前記カバーの新たな配置により前記意匠パターンを変更可能にし、
前記取付体に取り付けられている前記整数倍カバーを、これとは異なる整数倍の前記整数倍カバーに交換することにより、前記意匠パターンを変更可能にし、
前記取付体に取り付けられている前記整数倍カバーの向きを縦又は横へ変更することにより、前記意匠パターンを変更可能にしたことを特徴とする意匠材セット。
【請求項２】
前記カバーの前記取付体への取り付けは、前記カバーと前記取付体の摩擦によるものである請求項１に記載の意匠材セット。
【請求項３】
前記取付体に前記カバーを取り付けたときに、前記カバーの内部に中空空間が形成される請求項１又は２に記載の意匠材セット。
【請求項４】
対象面を覆う意匠材セットの設置方法であって、
前記意匠材セットは、
取付体と、
前記取付体に取り付けるカバーとを備えており、
前記取付体及び前記カバーは、基体及び基体を囲む側壁を有しており、
前記カバーの側壁と前記取付体の側壁との嵌合により、前記カバーを前記取付体に取り付け可能であり、
前記取付体のうち前記カバーとの対向部の平面視の形状は、四角形に内接する１倍形状、又は前記四角形を連続して整数個並べて形成される外形の各辺に内接する整数倍形状であり、
前記１倍形状の取付体を１倍取付体とし、前記整数倍形状の取付体を整数倍取付体とすると、
前記カバーは、前記１倍取付体に取り付け可能な大きさの１倍カバー、又は前記整数倍取付体に取り付け可能な大きさの整数倍カバーを含んでおり、かつ少なくとも異なる整数倍の前記整数倍カバーを含んでおり、
前記対象面に複数の前記取付体を縦及び横に連続的に配置し、
前記１倍取付体への前記１倍カバーの取り付け、２以上の整数個分の前記１倍取付体への前記整数倍カバーの取り付け、又は前記整数倍取付体への前記整数倍カバーの取り付けにより、複数の前記カバーで構成される意匠パターンを設定し、
前記カバーを前記取付体から取り外して、新たな前記カバーの取り付け又は前記カバーの新たな配置により前記意匠パターンを変更可能にし、
前記取付体に取り付けられている前記整数倍カバーを、これとは異なる整数倍の前記整数倍カバーに交換することにより、前記意匠パターンを変更可能にし、
前記取付体に取り付けられている前記整数倍カバーの向きを縦又は横へ変更することにより、前記意匠パターンを変更可能にしたことを特徴とする意匠材セットの設置方法。
【請求項５】
前記カバーの前記取付体への取り付けは、前記カバーと前記取付体の摩擦によるものである請求項４に記載の意匠材セットの設置方法。
【請求項６】
前記取付体に前記カバーを取り付けたときに、前記カバーの内部に中空空間が形成される請求項４又は５に記載の意匠材セットの設置方法。
【発明の詳細な説明】
【技術分野】
【０００１】
本発明は、壁面又は天井等の対象面を覆う意匠材セット及びその設置方法に関する。
【背景技術】
【０００２】
従来より、吸音材を天井及び壁面に敷き詰めて、凹凸天井面及び凹凸壁面を形成して、吸音効果のみならず、インテリア効果も奏するようにすることが行われていた。例えば、特許文献１に記載の吸音体セットは、吸音体は、パネルに取り付ける取付体と、取付体に組み合わさるケース体とを備えている。この構成では、ケース体の外観形状は意匠的効果を意識したものにすることができ、吸音体を設置したときに見栄えのよいものとしたり、好みに応じたものにすることができる。
【０００３】
また、断熱材等の機能材を天井及び壁面に施工した後に、機能材の取り外しや交換を可能にすることも提案されている。例えば、特許文献２に記載の建築用機能パネルは、家屋に固定される構造材に対し機能材を着脱可能にすることにより、施工後において機能材を容易に取り外すことを可能とするだけではなく、機能材を別の機能材に容易に交換することが可能となるようにしている。
【先行技術文献】
【特許文献】
【０００４】
【特許文献１】特許第５８４８８３８号公報
【特許文献２】特開平７−１１３２７６号公報
【発明の概要】
【発明が解決しようとする課題】
【０００５】
しかしながら、特許文献１に記載の吸音体セットは、ケース体の外観形状を意匠的効果を意識したものにすることができるが、ケース体の外形寸法は統一されており、外観形状の変更はあくまでも統一されたケース体の外形寸法の範囲内での変更に留まっていた。特許文献２に記載の建築用機能パネルについても同様であり、機能材を別の機能材に交換することは可能であるが、あくまでも統一された機能材の外形寸法の範囲内での変更に留まっていた。
【０００６】
本発明は、前記のような従来の問題を解決するものであり、意匠パターンのバリエーションの豊富な意匠材セット及びその設置方法を提供することを目的とする。
【課題を解決するための手段】
【０００７】
前記目的を達成するために、本発明の意匠材セットは、対象面を覆う意匠材セットであって、取付体と、前記取付体に取り付けるカバーとを備えており、前記取付体及び前記カバーは、基体及び基体を囲む側壁を有しており、前記カバーの側壁と前記取付体の側壁との嵌合により、前記カバーを前記取付体に取り付け可能であり、前記取付体のうち前記カバーとの対向部の平面視の形状は、四角形に内接する１倍形状、又は前記四角形を連続して整数個並べて形成される外形の各辺に内接する整数倍形状であり、前記１倍形状の取付体を１倍取付体とし、前記整数倍形状の取付体を整数倍取付体とすると、前記カバーは、前記１倍取付体に取り付け可能な大きさの１倍カバー、又は前記整数倍取付体に取り付け可能な大きさの整数倍カバーを含んでおり、かつ少なくとも異なる整数倍の前記整数倍カバーを含んでおり、前記対象面に複数の前記取付体を縦及び横に連続的に配置したときに、前記１倍取付体への前記１倍カバーの取り付け、２以上の整数個分の前記１倍取付体への前記整数倍カバーの取り付け、又は前記整数倍取付体への前記整数倍カバーの取り付けにより、複数の前記カバーで構成される意匠パターンを設定でき、前記カバーを前記取付体から取り外して、新たな前記カバーの取り付け又は前記カバーの新たな配置により前記意匠パターンを変更可能にしたことを特徴とする。
【０００８】
本発明の意匠材セットの設置方法は、対象面を覆う意匠材セットの設置方法であって、前記意匠材セットは、取付体と、前記取付体に取り付けるカバーとを備えており、前記取付体及び前記カバーは、基体及び基体を囲む側壁を有しており、前記カバーの側壁と前記取付体の側壁との嵌合により、前記カバーを前記取付体に取り付け可能であり、前記取付体のうち前記カバーとの対向部の平面視の形状は、四角形に内接する１倍形状、又は前記四角形を連続して整数個並べて形成される外形の各辺に内接する整数倍形状であり、前記１倍形状の取付体を１倍取付体とし、前記整数倍形状の取付体を整数倍取付体とすると、前記カバーは、前記１倍取付体に取り付け可能な大きさの１倍カバー、又は前記整数倍取付体に取り付け可能な大きさの整数倍カバーを含んでおり、かつ少なくとも異なる整数倍の前記整数倍カバーを含んでおり、前記対象面に複数の前記取付体を縦及び横に連続的に配置し、前記１倍取付体への前記１倍カバーの取り付け、２以上の整数個分の前記１倍取付体への前記整数倍カバーの取り付け、又は前記整数倍取付体への前記整数倍カバーの取り付けにより、複数の前記カバーで構成される意匠パターンを設定し、前記カバーを前記取付体から取り外して、新たな前記カバーの取り付け又は前記カバーの新たな配置により前記意匠パターンを変更可能にしたことを特徴とする。
【０００９】
前記本発明の意匠材セット及び意匠材セットの設置方法によれば、取付体を対象面に取り付けておけば、取付体には、１倍カバーの取り付け、異なる整数倍の整数倍カバーの取り付け、整数倍カバーの向きを変えた取り付け、１倍カバーと整数倍カバーとを混在させた取り付け、表面形状や色調の異なるカバーの取り付けが可能であり、取付体とカバーとの対応関係の自由度が高まり、意匠パターンのバリエーションが豊富になり、あわせて意匠パターンの変更のバリエーションも豊富になる。
【００１０】
また、取付体は四角形に内接する多様な形状を採用でき、取付体の形状に合わせて、カバーの形状についても多様な形状を採用できるので、このことによっても、複数のカバーで構成される意匠パターンのバリエーションが豊富になる。さらに、取付体には１倍取付体だけでなく、予定する意匠パターンに合わせて、整数倍取付体を対象面に設置することにより、取付体の個数を減らすことができ、作業が効率的になる。
【００１１】
前記本発明の意匠材セット及び意匠材セットの設置方法においては、前記カバーの前記取付体への取り付けは、前記カバーと前記取付体の摩擦によるものであることが好ましい。この構成によれば、専用の取付具を用いることなく固定作業を行なうことができ、かつ着脱も容易になる。
【００１２】
また、前記取付体に前記カバーを取り付けたときに、前記カバーの内部に中空空間が形成されることが好ましい。この構成によれば、取付体とカバーとの組み合せ体に吸音効果を発揮させることができ、この組み合せ体を吸音体としても使用可能である。
【発明の効果】
【００１３】
本発明の効果は前記のとおりであり、本発明によれば、取付体を対象面に取り付けておけば、取付体には、１倍カバーの取り付け、異なる整数倍の整数倍カバーの取り付け、整数倍カバーの向きを変えた取り付け、１倍カバーと整数倍カバーとを混在させた取り付け、表面形状や色調の異なるカバーの取り付けが可能であり、取付体とカバーとの対応関係の自由度が高まり、意匠パターンのバリエーションが豊富になり、あわせて意匠パターンの変更のバリエーションも豊富になる。また、取付体は四角形に内接する多様な形状を採用でき、取付体の形状に合わせて、カバーの形状についても多様な形状を採用できるので、このことによっても、複数のカバーで構成される意匠パターンのバリエーションが豊富になる。さらに、取付体には１倍取付体だけでなく、予定する意匠パターンに合わせて、整数倍取付体を対象面に設置することにより、取付体の個数を減らすことができ、作業が効率的になる。
【図面の簡単な説明】
【００１４】
【図１】本発明の一実施形態に係る意匠材セットを壁に設置した状態を示す斜視図。
【図２】図１の一部を分解した斜視図。
【図３】本発明の一実施形態において、カバー、取付体及び基板の断面図。
【図４】図３の状態からカバー、取付体及び基板を組み合わせた状態の断面図。
【図５】本発明の一実施形態に係る整数倍取付体の一例を示す平面図。
【図６】本発明の一実施形態に係る取付体の形状の別の例を示す平面図。
【図７】図１の一部を分解した斜視図。
【図８】本発明の一実施形態において、壁に取付体を設置した直後の状態を示す斜視図。
【図９】本発明の一実施形態において、壁に取付体を設置した直後の状態の別の例を示す斜視図。
【図１０】本発明の一実施形態において、４個分の取付体にカバーを取り付ける第１の例を示す斜視図。
【図１１】本発明の一実施形態において、４個分の取付体にカバーを取り付ける第２の例を示す斜視図。
【図１２】本発明の一実施形態において、４個分の取付体にカバーを取り付ける第３の例を示す斜視図。
【図１３】本発明の一実施形態において、４個分の取付体にカバーを取り付けるる第４の例を示す斜視図。
【図１４】本発明の一実施形態において、４個分の取付体にカバーを取り付ける第５の例を示す斜視図。
【図１５】本発明の一実施形態において、整数倍取付体で形成される領域に、カバーを取り付ける第１の例を示す斜視図。
【図１６】本発明の一実施形態において、整数倍取付体で形成される領域に、カバーを取り付ける第２の例を示す斜視図。
【図１７】本発明の一実施形態において、整数倍取付体で形成される領域に、カバーを取り付ける第３の例を示す斜視図。
【図１８】本発明の一実施形態において、整数倍取付体で形成される領域に、カバーを取り付ける第４の例を示す斜視図。
【図１９】本発明の一実施形態に係る１倍カバーの一例を示す平面図。
【図２０】図１９に示したカバー２ｈについての２倍の整数倍カバーの例を示す平面図。
【図２１】図１９に示したカバー２ｈについての２倍の整数倍カバーの別の例を示す平面図。
【図２２】図１９に示したカバー２ｈについての４倍の整数倍カバーの例を示す平面図。
【図２３】本発明の一実施形態において、４個分の１倍取付体に４個分の１倍カバーを取り付ける例を示す斜視図。
【図２４】基板に図２３に示した１倍取付体を取り付けたときの平面図。
【図２５】本発明の一実施形態において、４個分の取付体に２倍の整数倍カバーを取り付ける例を示す斜視図。
【図２６】本発明の一実施形態において、４個分の取付体に４倍の整数倍カバーを取り付ける例を示す斜視図。
【図２７】本発明の一実施形態に係る意匠材セットを壁に設置した状態を示す斜視図。
【図２８】本発明の一実施形態に係る取付体の別の例を示す斜視図。
【図２９】図２８に示した取付体に別のカバーを取り付ける例を示す斜視図。
【図３０】本発明の一実施形態において、取付体のさらに別の例を示す斜視図。
【図３１】本発明の一実施形態において、取付体とカバーとの組み合わせの別の例を示す斜視図。
【図３２】図３１に示した取付体にカバーを取り付けたときの断面図。
【図３３】図３１に示した取付体とカバーとの組み合わせの第２の例を示す斜視図。
【図３４】図３１に示した取付体とカバーとの組み合わせの第３の例を示す斜視図。
【発明を実施するための形態】
【００１５】
以下、本発明の一実施形態について、図面を参照しながら説明する。図１は、本発明の一実施形態に係る意匠材セット１を対象面である壁１０に設置した状態を示す斜視図である。図２は、図１の一部を分解した斜視図である。図１に示したように、壁１０が意匠材セット１を構成する各種形状のカバー２ａ〜２ｆで覆われている。図１は便宜のため、壁１０を部分的に図示しているが、意匠材セット１で壁をさらに広範囲に覆ってもよく、壁に限らず天井を覆ってもよい。
【００１６】
意匠材セット１を設置することにより、対象面である壁面や天井を見栄えのよいものとしたり、好みに応じたものにすることができるが、意匠材セット１に吸音効果を発揮させるようにしてもよい。例えば、内部に中空空間を形成したり、中空空間にウレタンフォーム等の吸音材を入れて、吸音効果を発揮させることが可能になる。
【００１７】
意匠材セット１は、複数種類のカバーを備えており、図１は複数種類のカバーのうち、カバー２ａ〜２ｆの６種類の形状のカバーを選択して、壁１０に設置した例を示している。図２において、取付体３ａにはカバー２ａ等が取り付けられる。詳細は後述するが、意匠材セット１は、図１において、壁１０に設置したカバー以外の複数のカバーを備えていてもよく、これらの形状はカバー２ａ〜２ｆとは異なる形状であってもよい。同様に意匠材セット１は、図２に示した取付体３ａ以外の複数の取付体を備えていてもよく、これらの形状は取付体３ａとは異なる形状であってもよい。
【００１８】
本実施形態においては、特定のカバーを指すときは、符号を付してカバー２ａ、カバー２ｂ等というが、総称するときは単にカバーという。同様に特定の取付体を指すときは、符号を付して取付体３ａ、取付体３ｂ等というが、総称するときは単に取付体という。
【００１９】
図２において、カバー２ａは、取付体３ａ及び基板４を介して、壁１０に設置される。カバー２ｂについても同様であるが、取付体３ａ及び基板４はそれぞれ４個用いている。ただし、これは一例であり、取付体３ａ及び基板４は、４個分が一体のものでもよく、２個分が一体になったものを２つ用いてもよい。
【００２０】
基板４は壁１０に接着剤や留具等を用いて固定されるが、取付体３ａ及びカバー２ａ等のカバーについては、着脱可能に取り付けられる。このことについて、図３及び図４を参照しながら説明する。
【００２１】
図３は、カバー２ａ、取付体３ａ及び基板４の断面図を示している。カバー２ａは、基体２１及び基体２１を囲む側壁２２を有している。取付体３ａは、基体３１及び基体３１を囲む側壁３２を有している。カバー２ａの側壁２２の内周面と取付体３ａの側壁３２の外周面とが嵌合する。また、取付体３の凸部３３と基板４の凹部４１とが嵌合する。すなわち、カバー２ａと取付体３ａとは部材同士の嵌合による摩擦力で固定され、取付体３ａと基板４とは部材同士の嵌合による摩擦力で固定される。この構成では、専用の取付具を用いることなく固定作業を行なうことができる。また、設置後において、カバー２ａ及び取付体３ａは基板４に対して着脱することにより、壁１０に対して着脱可能であり、かつ着脱容易である。このことは、カバー２ｂ等の他のカバーについても同様であり、取付体３ｂ（図５（ｂ）参照）等の他の取付体についても同様である。
【００２２】
図４は、図３の状態からカバー２ａ、取付体３ａ及び基板４を組み合わせた組み合せ体１３の断面図を示している。図４の状態では組み合せ体１３の内部には、中空部１１及び中空部１２が形成されており、組み合せ体１３は吸音効果を発揮させることができ、吸音体としても使用可能である。
【００２３】
図２において、取付体３ａは意匠材セット１が備える取付体のうち、最小の大きさの取付体である。本実施形態では、大きさとは平面視したときの面積のことである。詳細は後述するとおり、取付体は、取付体３ａの整数倍の大きさの取付体を含んでいてもよい。同様に、図２において、カバー２ａは意匠材セット１が備えるカバーのうち、最小の大きさのカバーである。カバー２ｂはカバー２ａの４倍の大きさである。
【００２４】
取付体３ａのうちカバー２ａとの対向部の平面視の形状は、四角形３０と一致するので四角形３０に内接する形状である。四角形３０に内接する形状とは、四角形３０の４辺に全体又は一部が接する形状のことである。本実施形態では、取付体の平面視の形状に関し、四角形３０に内接する形状を１倍形状といい、四角形３０を連続して整数個並べて形成される外形の各辺に内接する整数倍形状という。また、１倍形状の取付体を１倍取付体といい、整数倍形状の取付体を整数倍取付体という。
【００２５】
図５は、整数倍取付体の一例を示す平面図である。図５（ａ）は３倍の整数倍取付体の一例を示している。図５（ａ）に示した取付体３ｃは、四角形３０を連続して横に３個並べて形成される長方形の各辺に内接している。取付体３ｃは、図２に示した取付体３ａの３個分を一体にしたものに相当する。図５（ｂ）は４倍の整数倍取付体の一例を示している。図５（ｂ）に示した取付体３ｂは、四角形３０を連続して縦及び横に４個並べて形成される四角形の各辺に内接している。図５（ｃ）は４倍の整数倍取付体の別の一例を示している。図５（ｃ）に示した取付体３ｄは、四角形３０を連続して縦及び横に４個並べて形成されるＬ字形の各辺に内接している。取付体３ｂ及び取付体３ｄは、図２に示した取付体３ａの４個分を一体にしたものに相当する。
【００２６】
図５に示した取付体３ｂ〜３ｄは一例であり、２倍の整数倍取付体でもよく、５倍以上の整数倍取付体でもよい。取付体３ｂ〜３ｄの形状についても一例であり、これらは、四角形３０を連続して整数個並べて形成される形状に一致しているが、同形状に内接する形状であればよい。
【００２７】
図６は、取付体の形状の別の例を示す平面図である。図２に示した取付体３ａの平面視の形状は、四角形３０と一致する形状であるが、四角形３０に内接する形状であればよく、四角形に限るものではない。図６の斜線部は、四角形３０に対する欠損部であり、四角形３０から欠損部を除外した部分が各取付体の平面視の形状である。
【００２８】
図６（ａ）に示した取付体３ｅの平面視の形状は、四角形３０に内接する円形であり、図６（ｂ）に示した取付体３ｆの平面視の形状は、四角形３０に内接する台形である。図６に示した取付体の形状は一例であり、四角形３０に内接する形状であればよく、他の形状であってもよい。取付体の形状を多様な各種形状にすることにより、カバーの形状についても多様な各種形状を採用できるので（図２８、図３０参照）、複数のカバーで構成される意匠パターンのバリエーションが豊富になる。
【００２９】
図１において、意匠材セット１は、大きさ又は形状の異なる６種類のカバー２ａ〜２ｆを備えている。図２において、カバー２ａは１倍取付体である取付体３ａに取り付け可能である。カバー２ｂは１倍取付体である取付体３ａの４個分に取り付け可能であるので、４倍の整数倍取付体にも取り付け可能である。本実施形態では、１倍取付体に取り付け可能な大きさのカバーを１倍カバーといい、整数倍取付体に取り付け可能な大きさのカバーを整数倍カバーという。
【００３０】
図２において、カバー２ａは１倍カバーであり、カバー２ｂは４倍の整数倍カバーである。図７は、図１の一部を分解した斜視図である。図７は、図２とは別の部分を分解している。図７において、カバー２ｃは３倍の整数倍カバーであり、カバー２ｄは４倍の整数倍カバーである。同様に図１において、カバー２ｅは２倍の整数倍カバーであり、カバー２ｆは３倍の整数倍カバーである。
【００３１】
すなわち、図１において、意匠材セット１は、カバー２ａ（１倍カバー）、カバー２ｂ（４倍の整数倍カバー）、カバー２ｃ（３倍の整数倍カバー）、カバー２ｄ（４倍の整数倍カバー）、カバー２ｅ（２倍の整数倍カバー）及びカバー２ｆ（３倍の整数倍カバー）を含んでいる。
【００３２】
図１において、意匠材セット１が備えるカバーは、図１に示したものが全てであってもよいが、これとは別に、カバー２ａ〜２ｅと同じカバーを備えていてもよく、５倍以上の整数倍の整数倍カバーを備えていてもよい。
【００３３】
図３及び図４を参照して説明したとおり、カバー２ａは取付体３ａに対して着脱可能である。このことと、カバーが１倍カバーと、異なる整数倍の整数倍カバーとを含んでいることにより、複数のカバーで構成される意匠パターンのバリエーションが豊富になり、あわせて意匠パターンの変更のバリエーションも豊富になる。
【００３４】
図８は、壁１０に取付体を設置した直後の状態を示す斜視図である。壁１０に設置した取付体は全て１倍取付体である取付体３ａである。取付体３ａは縦及び横に連続的に配置されている。隣接する取付体３ａ間は、カバー２ａ等が取り付けられるよう若干の隙間をあけている。図９は、壁１０に取付体を設置した直後の状態の別の例を示す斜視図である。図９では、壁１０に１倍取付体である取付体３ａだけでなく、図５に示した整数倍取付体３ｂ〜３ｄを設置している。
【００３５】
図８において、取付体３ａの１つ分に、１倍カバー２ａを取り付け可能である。また、連続した整数個分の取付体３ａに、整数倍カバー２ｂ〜２ｄを取り付け可能である。さらに、図９に示したように、整数倍取付体３ｂ〜３ｄを設置している場合は、整数倍取付体３ｂ〜３ｄの大きさに応じた整数倍カバー２ｂ〜２ｄの取り付けが可能になる。
【００３６】
すなわち、本実施形態に係る意匠材セットによれば、取付体を対象面に取り付けておけば、取付体には１倍カバーだけでなく、異なる整数倍の整数倍カバーも取り付け可能となり、取付体とカバーとの対応関係の自由度が高まり、複数のカバーで構成される意匠パターンのバリエーションが豊富になる。
【００３７】
また、取付体には１倍取付体だけでなく、予定する意匠パターンに合わせて、整数倍取付体を対象面に設置することにより、取付体の個数を減らすことができ、作業が効率的になる。
【００３８】
意匠パターンのバリエーションについて、図２の４倍の整数倍カバー２ｂが取り付けられる領域について説明する。図２において、整数倍カバー２ｂが取り付けられる領域においては、４角形状に並べられた４個分の１倍取付体３ａが配置されている。図１０は、４個分の１倍取付体３ａに、４個の１倍カバー２ａを取り付ける例を示す斜視図である。本図は、図１において、整数倍カバー２ｂを取り外し、整数倍カバー２ｂに代えて、４個の１倍カバー２ａを取り付ける直前の状態を示している。４個分の１倍取付体３ａの領域は、１倍カバー２ａの４倍の大きさであり、図１０に示したように、４個の１倍カバー２ａを取り付け可能である。
【００３９】
図１１は、４個分の１倍取付体３ａに、２倍の整数倍カバー２ｅを取り付ける例を示す斜視図である。４個分の１倍取付体３ａの領域は、２倍の整数倍カバー２ｅの２倍の大きさであり、図１１に示したように、２個の整数倍カバー２ｅを取り付け可能である。図１２は、４個分の取付体３ａに、２倍の整数倍カバー２ｅを取り付ける別の例を示す斜視図である。図１１は整数倍カバー２ｅを縦に配置する例であるが、図１２は整数倍カバー２ｅを横に配置する例である。
【００４０】
図１３は、４個分の１倍取付体３ａに、４倍の整数倍カバー２ｇを取り付ける別の例を示す斜視図である。カバー２ｇは、図１に示した整数倍カバー２ｂと同じ大きさであるが、表面に凹凸形状が施されている点が、整数倍カバー２ｂと異なっている。同じ大きさのカバーであっても、表面形状の異なるカバーに交換することにより意匠パターンを変更可能である。このことは、異なる色調のカバーに交換することによっても同様である。図１４は、４個分の１倍取付体３ａに、１倍カバー２ａと３倍の整数倍カバー２ｆを取り付ける例を示す斜視図である。
【００４１】
図１０〜図１４は、カバーを取り付ける領域が、１倍取付体３ａで形成される領域であったが、整数倍取付体で形成される領域であってもよい。図１５〜図１８の各図は、整数倍取付体で形成される領域に、カバーを取り付ける例を示す斜視図である。図１５は２倍の整数倍取付体３ｇを横に２個並べて２倍の整数倍カバー２ｅの取り付け領域を形成している。図１６は２倍の整数倍取付体３ｇを縦に２個並べて２倍の整数倍カバー２ｅの取り付け領域を形成している。
【００４２】
図１７は、４倍の整数倍取付体３ｂで４倍の整数倍カバー２ｇの取り付け領域を形成している。図１８は、３倍の整数倍取付体３ｈと１倍取付体３ａとで、３倍の整数倍カバー２ｆ及び１倍カバー２ａの取り付け領域を形成している。
【００４３】
図１０〜図１４を用いて説明したとおり、４個分の取付体３ａには、１倍カバーの取り付け、２〜４倍の異なる整数倍の整数倍カバーの取り付け、整数倍カバーの向きを変えた取り付け、１倍カバーと整数倍カバーとを混在させた取り付け、表面形状の異なるカバーの取り付けが可能であり、意匠パターン変更のバリエーションが豊富である。また、図１５〜図１８を用いて説明したとおり、整数倍取付体を設置することにより、整数倍取付体の倍数に応じたカバーを取り付けることができ、取付体の個数を減らすことができる。
【００４４】
取付体の個数を増やし取り付け対象領域を広くすれば、配置のバリエーションが増えるだけでなく、より大きな整数倍の整数倍取付体及び整数倍カバーの取り付けも可能になり、意匠パターンのバリエーションが一段と豊富になる。また、同じ整数倍であっても異なる形状（図９のカバー２ｂ、カバー２ｄ参照）の整数倍カバーを取り付けることによっても、意匠パターンのバリエーションが一段と豊富になる。
【００４５】
前記実施形態では、１倍カバーであるカバー２ａの平面視の形状は、四角形の例で説明したが、これに限るものではない。図１９に、１倍カバーの各種形状の一例を示している。図１９に示した１倍カバー２ｈ〜２ｏの平面視の形状は、いずれも四角形に内接しているが、１倍取付体に嵌合する形状であればよく、四角形に内接する形状に限るものではない。
【００４６】
図１９の斜線部は、四角形２０ａ〜２０ｈに対する欠損部であり、四角形２０ａ〜２０ｈから欠損部を除外した部分が各１倍カバー２ｈ〜２ｏの平面視の形状である。図１９では、四角形２０ａ〜２０ｈの大きさは同一であるが、四角形２０ａ〜２０ｈの大きさは任意に決定すればよく、大きさが異なっていてもよい。
【００４７】
１倍カバー２ｈ〜２ｏに嵌合する１倍取付体の形状は、１倍カバー２ｈ〜２ｏの形状に応じたものとなる。例えば、カバー２ｈに嵌合する１倍取付体は、カバー２ｈの内周全面に嵌合する菱形でもよく、カバー２ｈの内周に部分的に内接して嵌合する四角形でも円形でもよい。
【００４８】
１倍カバー２ｈ〜２ｏの各形状を繰り返し並べて一体化して整数倍カバーとしてもよい。図２０は、図１９に示した１倍カバー２ｈについての２倍の整数倍カバー２ｐを示している。整数倍カバー２ｐは、図１９に示した１倍カバー２ｈを縦に並べ一体化したものである。
【００４９】
図２１は、図１９に示した１倍カバー２ｈについての２倍の整数倍カバーの別の例を示している。図２１に示した整数倍カバー２ｑは、１倍カバー２ｈを横に並べ一体化したものである。整数倍カバー２ｑの形状は１倍カバー２ｈの形状を踏襲しているが、図１９に示した一対の傾斜辺２１のうち一方の傾斜辺２１を省いて一体性を高めている。
【００５０】
図２２は、図１９に示した１倍カバー２ｈについての４倍の整数倍カバーの例を示している。図２２に示した整数倍カバー２rは、１倍カバー２ｈを縦及び横に並べ一体化したものである。整数倍カバー２rの形状は１倍カバー２ｈの形状を踏襲しているが、図１９に示した一対の傾斜辺２１のうち一方の傾斜辺２１を省いて一体性を高めている。
【００５１】
図２３は、４個分の１倍取付体３ｉに、４個分の１倍カバー２ｈを取り付ける例を示す斜視図である。１倍取付体３ｉの平面視の形状は、カバー２ｈの内周全面に嵌合する菱形である。１倍取付体３ｉの凸部３３と基板４の凹部４１とが嵌合して、１倍取付体３ｉと基板４とは部材同士の嵌合による摩擦力で固定される（図３、４参照）。
【００５２】
図２４は、基板４に１倍取付体３ｉを取り付けたときの平面図を示している。図示の便宜のため、隣接する取付体３ｉ同士は接しているが、カバー２ｈが取り付けられるよう若干の隙間をあけている。基板４は、図２に示した基板４と同一の大きさであり、四角形のカバー２ａ等に対応する基板４である。図２４に示したように、基板４に菱形の１倍取付体３ｉを取り付けると、菱形の１倍取付体３ｉは辺３５側で基板４からはみ出すが、辺３６側に余白ができるので、１倍取付体３ｉが菱形であっても基板４に取付け可能である。
【００５３】
また、カバー２ｈに取付ける１倍取付体をカバー２ｈの内周に内接して嵌合する四角形としてもよく、この場合は、当該四角形は、図２に示した１倍取付体３ａの外周を形成する四角形３０よりも小さくなり、１個分の基板４よりも小さくなるので、当該四角形の１倍取付体を基板４に取付け可能である。
【００５４】
すなわち、図２において一旦基板４を壁１０に設置した後は、この設置を維持したまま、基板４に取り付ける取付体を適宜変更することにより、菱形の１倍カバー２ｈや１倍カバー２ｈの整数倍の整数倍カバー２ｐ、２ｑ、２ｒ、２ｓを取り付け可能である（図２７参照）。このことは、図１９に示したカバー２ｉ〜２ｏについても同様である。
【００５５】
図２５は、４個分の取付体３ｉに、２倍の整数倍カバー２ｐを取り付ける例を示す斜視図である。図２５に示したように、４個分の取付体３ｉの領域に、２倍の整数倍カバー２ｐの２個を取り付け可能である。図２６は、４個分の取付体３ｉに、４倍の整数倍カバー２ｒを取り付ける例を示す斜視図である。図２６に示したように、４個分の取付体３ｉの領域に、４倍の整数倍カバー２ｒを取り付け可能である。
【００５６】
図２７は、カバー２ｈ等を含む意匠材セット１ａを壁１０に設置した状態を示す斜視図である。意匠材セット１ａは、図２３、図２５〜図２６に示したカバー２ｈ等に加え、１２倍の整数倍カバーであるカバー２ｓを含んでいる。図１と同様に、意匠材セット１aが備えるカバーは、図２７に示したものが全てであってもよいが、これとは別に、カバー２ｈ等と同じカバーを備えていてもよく、他の整数倍の整数倍カバーを備えていてもよく、同じ整数倍で外形の異なる整数倍カバー（例えば図２１に示した２倍の整数倍カバー２ｑ）を備えていてもよい。このように、各種カバーを別途備えている場合は、図２７に示した設置済のカバー２ｈ等の範囲内で、カバー２ｈ等の着脱により、意匠パターンを変更することもできるが、別途備えた各種カバーに交換することにより、意匠パターン変更のバリエーションが一段と豊富になる。
【００５７】
前記実施形態においては、例えば図２に示したように、取付体３ａの平面視形状が四角形３０の例で説明したが、図５及び図６を用いて説明したとおり、これに限るものではない、図２８は、取付体の別の例を示す斜視図である。取付体３ｅは図６（ａ）に示した取付体であり、平面視形状が円形である。円形の取付体３ｅには、円形のカバー２ｔや外形に曲面を有するカバー２ｕが取り付け可能である。また、円周面には四角形の４辺が接するため、円形の取付体３ｅには四角形のカバー２ａも取り付け可能である。
【００５８】
図２９は、図２８に示した取付体３ｅに別のカバーを取り付ける例を示す斜視図である。図２９では、取付体３ｅの４個分に、４倍の整数倍カバー２ｂが取り付けられる。この場合、カバー２ｂの内周面を形成する４面の各面に、各取付体３ｅの円周面が接することにより、円形の取付体３ｅには四角形のカバー２ｂが取り付けられることになる。
【００５９】
図３０は、取付体のさらに別の例を示す斜視図である。取付体３ｆは図６（ｂ）に示した取付体であり、平面視形状が台形である。取付体３ｆにより８角形の外形を形成することができ、８角形のカバー２ｖが取り付け可能である。また、８角形は円に内接する形状であるため、取付体３ｆで形成される８角形の外形に円形のカバーも取り付け可能である。
【００６０】
前記実施形態は、取付体３ａとカバー２ａ等との嵌合は、図３及び図４に示したように、取付体３ａの外周面をカバー２ａ等の内周面に嵌合させる構成であったが、これに限るものではない。図３１〜図３４は、取付体とカバーとの組み合わせの別の例を示す斜視図である。図３１は、取付体３ｊとカバー２ａとを対向させた状態の斜視図である。取付体３ｊは、四角形の基体３１の外周４辺に、基体３１を囲む側壁３２を立設したものである。
【００６１】
図３１において、取付体３ｊのうちカバー２ａとの対向部の平面視の形状は、基体３１の外周で形成される四角形３５である。四角形３５は四角形３５ａを縦及び横に連続して４個並べて形成される四角形であり、取付体３ｊは４倍の整数倍取付体である。図３１〜図３４は、取付体３ｊが４倍の整数倍取付体であるが、１倍取付体や、他の整数倍の整数倍取付体を用いてもよい。
【００６２】
図３２は、取付体３ｊにカバー２ａを取り付けたときの断面図を示している。カバー２ａの外周面と側壁３２の内周面とが嵌合し、隣接するカバー２ａの外周面同士が接している。このことにより、取付体３ｊに４個のカバー２ａが摩擦力で固定可能になる。
【００６３】
図３２に示したように、取付体３ｊとカバー２ａとの間に、図２及び図３に示した取付体３ａを介在させなくてもよいが、取付体３ａを介在させてもよく、この場合は、図３２に示した基体３１の凹部３４に、図３に示した取付体３ａの凸部３３が嵌合する。
【００６４】
図３１において、４個のカバー２ａの一部又は全部を、整数倍カバーに代えてもよい。図３３は、取付体３ｊに２倍の整数倍カバー２ｅを取り付ける例を示しており、図３４は４倍の整数倍カバー２ｗを取り付ける例を示している。
【００６５】
以上、本発明の実施形態について説明したが、前記実施形態は１例であり、適宜変更したものであってもよい。例えば図２において、基板４は１倍カバー２ａに対応する大きさであるが、多数個の基板４を一体にしたものあってもよい。また、カバーは少なくとも異なる整数倍の整数倍カバーを含んでいればよく、１倍カバーを含んでいなくてもよい。
【符号の説明】
【００６６】
１，１ａ  意匠材セット
２ａ，２ｈ〜２ｏ，２ｔ，２ｕ  １倍カバー
２ｂ〜２ｇ，２ｐ〜２ｓ，２ｖ，２ｗ  整数倍カバー
３ａ，３ｅ，３ｆ，３ｉ  １倍取付体
３ｂ〜３ｄ，３g，３ｈ，３ｊ  整数倍取付体
４  基板
１０  壁（対象面）
２１，３１  基体
３０  四角形
２２，３２  側壁
１１，１２  中空部
【要約】
【課題】意匠パターンのバリエーションの豊富な意匠材セット及びその設置方法を提供する。
【解決手段】取付体３ａ〜３ｄの形状は、四角形に内接する１倍形状、又は四角形を連続して整数個並べて形成される外形の各辺に内接する整数倍形状であり、カバーは、１倍取付体３ａに取り付け可能な大きさの１倍カバー２ａ、又は整数倍取付体３ｂ〜３ｄに取り付け可能な大きさの整数倍カバー２ｂ〜２ｄを含んでおり、１倍取付体３ａへの１倍カバー２ａの取り付け、整数個分の１倍取付体３ａへの整数倍カバー２ｂ〜２ｄの取り付け、又は整数倍取付体３ｂ〜３ｄへの整数倍カバー２ｂ〜２ｄの取り付けにより、複数のカバーで構成される意匠パターンのバリエーションを設定できる。
【選択図】図９【図１】
0006906829.tif 000002
【図２】
0006906829.tif 000003
【図３】
0006906829.tif 000004
【図４】
0006906829.tif 000005
【図５】
0006906829.tif 000006
【図６】
0006906829.tif 000007
【図７】
0006906829.tif 000008
【図８】
0006906829.tif 000009
【図９】
0006906829.tif 000010
【図１０】
0006906829.tif 000011
【図１１】
0006906829.tif 000012
【図１２】
0006906829.tif 000013
【図１３】
0006906829.tif 000014
【図１４】
0006906829.tif 000015
【図１５】
0006906829.tif 000016
【図１６】
0006906829.tif 000017
【図１７】
0006906829.tif 000018
【図１８】
0006906829.tif 000019
【図１９】
0006906829.tif 000020
【図２０】
0006906829.tif 000021
【図２１】
0006906829.tif 000022
【図２２】
0006906829.tif 000023
【図２３】
0006906829.tif 000024
【図２４】
0006906829.tif 000025
【図２５】
0006906829.tif 000026
【図２６】
0006906829.tif 000027
【図２７】
0006906829.tif 000028
【図２８】
0006906829.tif 000029
【図２９】
0006906829.tif 000030
【図３０】
0006906829.tif 000031
【図３１】
0006906829.tif 000032
【図３２】
0006906829.tif 000033
【図３３】
0006906829.tif 000034
【図３４】
0006906829.tif 000035